(57)【要約】【課題】  使用時にまつ毛カール器１の支持杆２の端部が瞼に当たらず、不快感を与えることのないまつ毛カール器を提供することを目的とする。【解決手段】  固定挟圧体３の両端に一体に形成された差し込み部９，９を差し込むための被差し込み部１１，１１が、支持杆２，２の端部に設けられ、使用時にまつ毛カール器１の顔と対向する側を前側、反対側を後側として、被差し込み部１１，１１の差し込み口は前側を向いており、差し込み部９，９が被差し込み部１１，１１の前側から差し込まれて、固定挟圧体３が支持杆２，２に固定されている【選択図】  図１
2019092907.tif 000002
【特許請求の範囲】
【請求項１】
離れて平行する一対の支持杆と、該支持杆の端部に両端が固定された固定挟圧体と、支持杆に沿って摺動可能に取り付けられた摺動挟圧体と、該摺動挟圧体を摺動させる操作手段とを備えたまつ毛カール器において、固定挟圧体の両端に一体に形成された差し込み部を差し込むための被差し込み部が、支持杆の端部に設けられ、使用時にまつ毛カール器の顔と対向する側を前側、反対側を後側として、前記被差し込み部の差し込み口は前側を向いており、差し込み部が被差し込み部の前側から差し込まれて、固定挟圧体が支持杆に固定されていることを特徴とするまつ毛カール器。
【請求項２】
両支持杆の端部は、それらを前側から見て、被差し込み部及び又はその長手方向の延長線よりも内側の部分が、固定挟圧体で覆われている請求項１記載のまつ毛カール器。
【請求項３】
支持杆の端部先端に至るまで固定挟圧体に覆われている請求項２記載のまつ毛カール器。
【請求項４】
差し込み部は、固定挟圧体の両端部がそれぞれアール状に屈曲する屈曲部を介して後側に突出するように形成されている請求項１乃至請求項３のいずれか一項記載のまつ毛カール器。
【請求項５】
差し込み部は、固定挟圧体の両端部がそれぞれアール状に屈曲する屈曲部を介して後側に突出するように形成され、支持杆の被差し込み部及び又はその長手方向の延長線よりも内側の部分が、固定挟圧体の屈曲部に覆われている請求項１又は請求項３記載のまつ毛カール器。
【請求項６】
屈曲部は、曲率半径が１．０ｍｍ以上の１又は複数のアール状部で構成される請求項４又は請求項５記載のまつ毛カール器。
【請求項７】
両差し込み部同士の間隔と両被差し込み部同士の間隔が等しい請求項４乃至請求項６のいずれか一項記載のまつ毛カール器。
【請求項８】
被差し込み部は、支持杆を前後方向に貫通する差し込み孔である請求項１乃至請求項７のいずれか一項記載のまつ毛カール器。
【発明の詳細な説明】
【技術分野】
【０００１】
本発明は、主に一般女性が使用するまつ毛カール器に関する。
【背景技術】
【０００２】
一般的にまつ毛カール器は、離れて平行する一対の支持杆と、その支持杆の端部に両端が固定された固定挟圧体と、支持杆に沿って摺動可能に取り付けられた摺動挟圧体と、その摺動挟圧体を摺動させる操作手段とを備え、固定挟圧体と摺動挟圧体とでまつ毛を狭圧してカールさせるものが多く使用されている。
【０００３】
そのようなまつ毛カール器では、固定挟圧体を一対の支持杆に固定する構造として、例えば特許文献１のまつ毛カール器のように、支持杆の上端に差し込み孔を設け、固定挟圧体の端部に設けた差し込み部をその差し込み孔に差し込んで固定するものが開示されている。そして、その差し込み孔はまつ毛カール器の左右方向に貫通するように設けられている。したがって、固定挟圧体の両端部に隣接する支持杆の上端部は、その前側の部分が全面的に何にも覆われないままで存在するから、使用時にその支持杆の上端部の前側の部分が瞼に当たり不快感を与えていた。そこで、特許文献１の支持杆の上端部が瞼に当たらないようするためには、固定挟圧体の両端部を前側に凸となるようにＵ字形に屈曲して、その屈曲部の凸の頂部が支持杆よりも前側に出るように形成すればよい。しかし、そのように屈曲部を形成すると、屈曲部のアールの曲率半径が小さいためにひび割れしやすくなり、使用を繰り返すと屈曲部に亀裂を生じたり破断したりする虞がある。また、そのような屈曲部を形成することによって、固定挟圧体のまつ毛を挟圧する幅が減少するので、必要な長さを確保するためには固定挟圧体の幅を広くする必要があり、そのためまつ毛カール器自体の幅が大きくなって、扱いづらいものとなってしまうのである。
【先行技術文献】
【特許文献】
【０００４】
【特許文献１】特開２００５−５８４２４号公報
【発明の概要】
【発明が解決しようとする課題】
【０００５】
本発明は、使用時にまつ毛カール器の支持杆の端部が瞼に当たらず、不快感を与えることのないまつ毛カール器を提供することを目的とする。
【課題を解決するための手段】
【０００６】
請求項１記載の発明は、固定挟圧体の両端に一体に形成された差し込み部を差し込むための被差し込み部が、支持杆の端部に設けられ、使用時にまつ毛カール器の顔と対向する側を前側、反対側を後側として、被差し込み部の差し込み口は前側を向いており、差し込み部が被差し込み部の前側から差し込まれて、固定挟圧体が支持杆に固定されている構成である。
【０００７】
請求項２記載の発明は、前側から見て、両支持杆の端部の、被差し込み部及び又はその長手方向の延長線よりも内側の部分が、固定挟圧体で覆われている構成である。
【０００８】
請求項３記載の発明は、被差し込み部の長手方向の延長線よりも内側の部分が、支持杆の端部先端に至るまで固定挟圧体に覆われている構成である。
【０００９】
請求項４記載の発明は、差し込み部が、固定挟圧体の両端部を、それぞれアール状に屈曲する屈曲部を介して後側に突出させることにより形成されている構成である。
【００１０】
請求項５記載の発明は、差し込み部が、固定挟圧体の両端部を、それぞれアール状に屈曲する屈曲部を介して後側に突出させることにより形成され、支持杆の被差し込み部及び又はその長手方向の延長線よりも内側の部分が、固定挟圧体の屈曲部に覆われている構成である。
【００１１】
請求項６記載の発明は、屈曲部が、曲率半径１．０ｍｍ以上の１又は複数のアール状部で構成されている。
【００１２】
請求項７記載の発明は、両差し込み部同士の間隔と両被差し込み部同士の間隔が等しい構成である。
【００１３】
請求項８記載の発明は、被差し込み部が、支持杆を前後方向に貫通する差し込み孔である構成である。
【発明の効果】
【００１４】
請求項１記載の発明は、被差し込み部の差し込み口が前側を向いており、固定挟圧体の差し込み部が被差し込み部の前側から差し込まれて、固定挟圧体が支持杆に固定されている。したがって、固定挟圧体の両端部が支持杆の前面側に位置するので、支持杆の端部の前面が固定挟圧体よりも前側に突出しない。それにより、使用時にその支持杆の端部の前側の部分が瞼に当たることがなく不快感を与えることがない。
【００１５】
請求項２記載の発明は、前側から見て、両支持杆の端部の、被差し込み部及び又はその長手方向の延長線よりも内側の部分が、固定挟圧体で覆われている。支持杆の、被差し込み部及び又はその長手方向の延長線よりも内側の部分が、固定挟圧体で覆われることにより、その覆われた支持杆の部分は瞼に触れないから、支持杆の端部の前側の部分が瞼に当たることを確実に防止できる。
【００１６】
請求項３記載の発明は、被差し込み部の長手方向の延長線よりも内側の部分が、支持杆の端部先端に至るまで固定挟圧体に覆われている。したがって、使用時に、支持杆の端部先端が瞼に触れないので、端部先端が瞼に触れることの不快感を確実に防止できる。
【００１７】
請求項４記載の発明は、差し込み部が、固定挟圧体の両端部を、それぞれアール状に屈曲する屈曲部を介して後側に突出させることにより形成されている。したがって、使用時に屈曲部が瞼に触れても、不快感を与えることがない。
【００１８】
請求項５記載の発明は、差し込み部が、固定挟圧体の両端部を、それぞれアール状に屈曲する屈曲部を介して後側に突出させることにより形成され、支持杆の被差し込み部及び又はその長手方向の延長線よりも内側の部分が、固定挟圧体の屈曲部に覆われている。したがって、固定挟圧体の両側が、それぞれアール状に屈曲しているので、屈曲部は支持杆の前面よりも間隔をあけて前側に存在する。これにより、使用時に固定挟圧体の圧力によって瞼が多少沈むことがあっても、支持杆が瞼に直接触れることを防止できる。
【００１９】
請求項６記載の発明は、屈曲部が、曲率半径１．０ｍｍ以上の１又は複数のアール状部で構成されている。屈曲部の曲率半径を１．０ｍｍ以上とすることで、瞼に対する当たりを滑らかなものとすることができる。
【００２０】
請求項７記載の発明は、両差し込み部同士の間隔と両被差し込み部同士の間隔が等しい。したがって、組み立て時における差し込み部の被差し込み部への差し込みが容易となる。
【００２１】
請求項８記載の発明は、被差し込み部が、支持杆を前後方向に貫通する差し込み孔である。したがって、固定挟圧体の差し込み部の長さを、被差し込み孔の貫通方向の長さよりも長く形成し、差し込み後に被差し込み孔から突き出した部分を切断することにより、組み立てることができる。これにより、差し込み部の長さに誤差が生じても、製造上影響を受けることがない。
【図面の簡単な説明】
【００２２】
【図１】本発明の正面図である。
【図２】本発明の側面図である。
【図３】固定挟圧体を装着しない状態の本発明の正面図である。
【図４】固定挟圧体とその両側の支持杆の部分の拡大図である。
【図５】図４の平面図である。
【図６】図４におけるＡ−Ａ断面図である。
【図７】本発明の背面図である。
【図８】固定挟圧体の平面図である。
【図９】固定挟圧体の側面図である。
【図１０】弧状板を前側から見た斜視図である。
【図１１】弧状板を後側から見た斜視図である。
【図１２】固定挟圧体とその両側の支持杆の部分の拡大図である。
【図１３】図１２の背面図である。
【図１４】図１２の平面図である。
【発明を実施するための形態】
【００２３】
次に、本発明の実施例について、図面を参照しながら説明する。図１〜図３は、本発明であるまつ毛カール器１の実施例の外観を表わしたものである。このまつ毛カール器１は、離れて平行する一対の支持杆２，２を有しており、固定挟圧体３の両端が、その支持杆２，２の上端部４，４に固定されている。また、摺動挟圧体５が、支持杆２，２に沿って摺動可能に支持杆２，２に取り付けられている。そして、上レバー６と下レバー７の開き角度を大きくすると、摺動挟圧体５が下方に摺動する。また、開き角度を小さくすると、摺動挟圧体５が上昇し、固定挟圧体３と摺動挟圧体５とでまつ毛を挟圧することができる。なお、図１のまつ毛カール器１の全幅は約４１ｍｍである。
【００２４】
図８及び図９に示すように、固定挟圧体３は一枚の金属板から形成されている。使用時にまつ毛カール器1の顔と対向する側を前側、反対側を後側として、固定挟圧体３は、後側に凸の緩やかな弧状に曲げられており、その弧状に曲げられた弧状部８の両端に、後側に突出する差し込み部９，９が形成されている。この差し込み部９，９は、前側が凸のアール状に屈曲する屈曲部１０，１０を形成することにより形成されている。弧状部８と差し込み部９の間にアール状の屈曲部１０を介在させることにより、差し込み部９を後側に突出するように曲げるときに、アール状の屈曲部１０を介在させず、弧状部８と差し込み部９とが直接的に隣接するように直角に曲げたときは、その曲げた境界部分がひび割れ等を引き起こす虞がある。なお、図４に示す固定挟圧体３の下縁１６は、半径が約２３ｍｍの円弧をなす。また、図５に示す固定挟圧体３の内面で構成される曲線１７は、半径が約１９．５ｍｍの円弧をなす。
【００２５】
図３は固定挟圧体３を装着しない状態の正面図であり、支持杆２，２の上端部４，４に、差し込み部９，９の被差し込み部である差し込み孔１１，１１が設けられている。差し込み孔１１，１１は支持杆２，２の上端部４，４を前後方向に貫通しており、その貫通方向の長さは、図８又は図９に示した固定挟圧体３の差し込み部９，９の長さよりも短い。したがって、製造工程において、固定挟圧体３の差し込み部９，９を、前側を向いた差し込み口から差し込み孔１１，１１に差し込んで、固定挟圧体３を支持杆２，２に取り付けたときに、差し込み部９，９の端部が差し込み孔１１，１１から後側に突き出る。そこで、支持杆２，２の上端部４，４をそれぞれ両側からプレスして、固定挟圧体３を支持杆２，２に確実に固定した後に、その突き出た部分を完全に切断する。このプレスして突き出た部分を完全に切断する方法に代えて、溶接したり、突き出た部分を残し、その残した部分を曲げたり、潰したりすることによって固定してもよい。
【００２６】
図３に示すように、支持杆２の上端部４の横幅は支持杆２の横幅よりも広く形成されている。また、図２に示すように、支持杆２の上端部４の前後方向の幅は支持杆２の前後方向よりも狭く形成されている。このように形成されている理由は、支持杆２の断面が円形であって、その上端部４は、支持杆２を前後方向からプレスして前後面を平面とすることによりやや扁平にしたからである。これによって、支持杆２が太くなり過ぎず、差し込み孔１１を設けやすくすることができる。
【００２７】
図６に示すように、固定挟圧体３のアール状屈曲部１０，１０は、支持杆上端部４の前面１２，１２の、差し込み孔１１，１１よりも内側の部分を覆っている。したがって、使用時に瞼が支持杆上端部４の前面１２，１２の内側の部分に接触することがないので、不快感を与えない。さらに、固定挟圧体３の屈曲部１０，１０のアール状面の最も前側の頂部１３，１３は、支持杆上端部４の前面１２，１２から十分に離れた位置にある。したがって、使用時にこの十分に離れた屈曲部１０，１０の作用により、瞼が、支持杆上端部４の前面１２，１２の、差し込み孔１１，１１よりも外側の部分にも接触することがなく、不快感を与えない。
【００２８】
図９に示すように、固定挟圧体３の端縁１４の上下方向の長さは、差し込み部９の上下方向の長さよりも長い。これにより、図４に示すように、支持杆２，２はその上端１５，１５まで固定挟圧体３に覆われるので、使用時に支持杆２，２の上端１５，１５が瞼に当たることがなく、不快感を与えない。また、固定挟圧体３の端縁１４，１４をさらに上方に長くして、端縁１４，１４が支持杆２，２の上端１５，１５よりも上方に延びるようにしてもよい。これとは逆に、端縁１４，１４が支持杆２，２の上端１５，１５にやや届かない程度の長さであっても差し支えない。
【００２９】
図１０から図１４は、本発明の他の実施例を示したものである。この実施例は、金属製の固定挟圧体３の内側に、プラスチック製の弧状板１８を重ね合わせて、金属とプラスチックの二層の固定挟圧体１９としてものである。弧状板１８は、金属製の固定挟圧体３とほぼ同じ曲率の弧状をなしている。弧状板１８は、使用時に瞼と接触する当て板部２０と、後側に押さえ板部２１を有し、それらの板部２０，２１は下端で一体に連続し、その連続する部分にまつ毛の挟圧端２２が形成され、両板部２０，２１の間に係合溝２３が形成されている。また、弧状板１８の上縁の両端部に一対の爪部２４，２４が形成されている。
【００３０】
次に、弧状板１８を金属製の固定挟圧体３に取り付ける方法について説明する。まず、弧状板１８の当て板部２０の裏面を金属製の固定挟圧体３の下側前面に宛がい、次に、弧状板１８を上方にスライドさせる。これにより、金属製の固定挟圧体３の下側部分が係合溝２３に挿入され、さらに一杯に挿入することにより爪部２４，２４が図１２に示すように固定挟圧体３の上縁に係止する。これにより、弧状板１８は固定挟圧体３に対して下がることがなく、弧状板１８が固定挟圧体３に固定された二層の固定挟圧体１９とすることができる。
【００３１】
二層の固定挟圧体１９とすることにより、プラスチック製の弧状板１８が瞼に当たるので、金属の冷たさが伝わらないという効果を奏する。また、弧状板１８の挟圧端２２が固定挟圧体３よりも下側に突き出るので、以下の効果を奏する。すなわち、図１０に示すように、挟圧端２２は先端が薄くやや鋭くなるように形成されている。仮に、金属製の固定挟圧体３のみを使用するときは、挟圧端をこのように鋭くすることができない。まつ毛を挟圧するときに金属製の鋭い挟圧端によりまつ毛が切れてしまうからである。したがって、挟圧端が金属製である場合はそれを鋭くすることができず、まつ毛をカールするときに、まつ毛をくっきりとカールしづらいのである。これに対して、挟圧端がプラスチックであると、まつ毛に対する当たりが柔らかくなるので、挟圧端でまつ毛が切れにくくなるのである。この結果、鋭い挟圧端でまつ毛を挟圧することにより、まつ毛をくっきりと曲げることができるので、まつ毛をきれいにカールすることができる。なお、この実施例の弧状板１８は固定式であるが、弧状板１８を交換可能してもよい。
【産業上の利用可能性】
【００３２】
固定挟圧体３の差し込み部９，９を、支持杆２，２の被差し込み部に前側から差し込むことによって、使用時に、敏感肌である瞼に触れても不快感を与えないものとすることができる。
【符号の説明】
【００３３】
１  まつ毛カール器、    ２  支持杆、    ３  固定挟圧体、    ４  支持杆の上端部、    ５  摺動挟圧体、    ６  上レバー、    ７  下レバー、    ８  弧状部、    ９  差し込み部、    １０  屈曲部、    １１  差し込み孔、    １２  支持杆上端部の前面、    １３  頂部、    １４  端縁、    １５  支持杆の上端、    １６  固定挟圧体の下縁、    １７  曲線、    １８  弧状板、    １９  二層の固定挟圧体、    ２０  当て板部、    ２１  押さえ板部、    ２２  挟圧端、    ２３  係合溝、    ２４  爪部
【図１】
2019092907.tif 000003
【図２】
2019092907.tif 000004
【図３】
2019092907.tif 000005
【図４】
2019092907.tif 000006
【図５】
2019092907.tif 000007
【図６】
2019092907.tif 000008
【図７】
2019092907.tif 000009
【図８】
2019092907.tif 000010
【図９】
2019092907.tif 000011
【図１０】
2019092907.tif 000012
【図１１】
2019092907.tif 000013
【図１２】
2019092907.tif 000014
【図１３】
2019092907.tif 000015
【図１４】
2019092907.tif 000016